(57)【要約】  アプリケータシステムは、容器（１０）およびアプリケータ（１２）を有する。容器（１０）は、アプリケータ（１２）を使って塗布される物質を含むように構成されている。容器（１０）は、使用中に、アクセス可能な方向で、アプリケータ（１２）をサポートするようにさらに構成されている。例えば、容器（１０）は、その端部（１８）で開放された第１チャンバ（１６）を有する。第１チャンバ（１６）は、その内部にアプリケータ（１２）の少なくともアクティブエンド（１４）を受設しかつ配置し、かつ、使用中にアクセス可能な方向でアプリケータを保持するように構成される。容器（１０）はまた、使用中に、アプリケータ（１２）のアクティブエンド（１４）によって接触される物質を内部に受設し保持するように構成された第２チャンバ（２２）を有する。
2020508782.tif 000002
【特許請求の範囲】
【請求項１】
容器およびアプリケータを有するアプリケータシステムであって、前記容器は、前記アプリケータを使って塗布される物質を含むように構成されており、前記容器は、使用中にアクセス可能な方向で前記アプリケータを支持するようにさらに構成されている、アプリケータシステム。
【請求項２】
前記容器は、
その端部において開放された第１チャンバであって、前記第１チャンバは内部にアプリケータの少なくともアクティブエンドを受設しかつ配置し、使用中にアクセス可能な方向で前記アプリケータを保持するように構成されている、ところの第１チャンバと、
使用中、前記アプリケータの前記アクティブエンドによって接触される前記物質を受設しかつ内部に保持するように構成された第２チャンバと
をさらに備える請求項１に記載のシステム。
【請求項３】
前記アプリケータは細長く、前記第１チャンバおよび前記アプリケータの各々は、前記アクティブエンドが前記第１チャンバのベースに配置されたとき、前記アプリケータの反対端が前記第１チャンバの開放端を越えてそこから突出するように構成されている、ことを特徴とする請求項２に記載のシステム。
【請求項４】
前記第１チャンバおよび前記アプリケータの各々は、前記アプリケータが前記第１チャンバ内に概して起立することができるように構成されている、ことを特徴とする請求項２または３に記載のシステム。
【請求項５】
前記アプリケータの前記アクティブエンドは、前記コントローラ内に保持された前記物質と接触し、保持し、および、塗布するように構成されている、ことを特徴とする請求項２から４のいずれか一項に記載のシステム。
【請求項６】
前記第１チャンバは、前記第２チャンバに隣接しているか、および／または、前記第２チャンバによって包囲されている、ことを特徴とする請求項２から５のいずれか一項に記載のシステム。
【請求項７】
前記第２チャンバは、前記第１チャンバの周囲に環帯容積を画成し、それによって、前記第１チャンバは管状に画成される、ことを特徴とする請求項２から６のいずれか一項に記載のシステム。
【請求項８】
使用中、内部に前記物質を包含するべく、前記第２チャンバを閉止するように構成された蓋をさらに備える、請求項２から７のいずれか一項に記載のシステム。
【請求項９】
前記蓋は、それが前記第２チャンバを閉止したとき、前記第１チャンバの前記開放端を閉止せず、それによって、前記アプリケータが前記アクセス可能な方向のままであるようにさらに構成されている、ことを特徴とする請求項８に記載のシステム。
【請求項１０】
前記蓋は、前記容器の外部壁にヒンジ結合されており、閉止位置と開放位置との間で枢動可能である、ことを特徴とする請求項８または９に記載のシステム。
【請求項１１】
前記蓋は、使用中、前記容器の上端部に配置された留め金によって閉止保持され、前記留め金は、前記蓋からリリースするべく手動で動作するように構成されており、それによって、前記蓋は前記閉止位置から枢動して離れることができる、ことを特徴とする請求項１０に記載のシステム。
【請求項１２】
前記留め金は、押圧可能なプッシュボタンを内部に保持するように構成されており、押圧により、前記留め金のラッチは前記蓋からリリースされ、それにより、前記蓋は前記閉止位置から枢動して離れることができる、ことを特徴とする請求項１１に記載のシステム。
【請求項１３】
前記蓋にはバネ負荷が与えられ、それにより、前記留め金が前記蓋からリリースされると、前記バネにより前記蓋が前記開放位置に枢動する、ことを特徴とする請求項１１または１２に記載のシステム。
【請求項１４】
前記留め金は、前記容器の前記上端部にマウントされるように構成されたコンポーネントの一部として形成される、ことを特徴とする請求項１１から１３のいずれか一項に記載のシステム。
【請求項１５】
前記コンポーネントは、ネジ結合などにより、前記容器の上端部に取り付け可能であり、前記留め金は前記第１リング構造の内側に伸長し、かつ、前記第２チャンバを覆っている、ことを特徴とする請求項１４に記載のシステム。
【請求項１６】
前記留め金は、使用中、前記第２チャンバを覆うべく内側に伸長するよう前記第１リング構造とともに一体成形された留め金構造を有し、前記押圧可能プッシュボタンおよびラッチは、前記留め金構造内に保持されている、ことを特徴とする請求項１５に記載のシステム。
【請求項１７】
前記コンポーネントは、前記第１リング構造が前記容器の上端部に取り付けられたとき、前記第１チャンバの前記開放上端を包囲して配置可能である第２リング構造をさらに有し、前記留め金は前記第１リング構造と前記第２リング構造との間に伸長し、かつ、それらを結合する、ことを特徴とする請求項１５または１６に記載のシステム。
【請求項１８】
前記容器の上端部用の前記コンポーネントはさらに、前記蓋の前記ヒンジ用の外部マウントをさらに有する、ことを特徴とする請求項１５から１７のいずれか一項に記載のシステム。
【請求項１９】
請求項１から１８のいずれか一項に記載のシステムとともに使用する容器であって、
その端部で開放された第１チャンバであって、その内部にアプリケータの少なくともアクティブエンドを受設しかつ配置し、かつ、使用中にアクセス可能な方向で前記アプリケータを保持するように構成されている、ところの第１チャンバと、
使用中に、前記アプリケータの前記アクティブエンドによって接触される物質を内部に受設しかつ保持するように構成された第２チャンバであって、前記第１チャンバを完全に包囲するところの第２チャンバと
を備える容器。
【請求項２０】
請求項１から１８のいずれか一項に記載されたもの以外の請求項１９に記載の容器。
【発明の詳細な説明】
【技術分野】
【０００１】
容器およびアプリケータを有するアプリケータシステムが開示される。容器は、アプリケータを使用して塗布される物質を含むように構成される。容器はまた使用中にアクセス可能な方向でアプリケータをサポートするように構成されている。
【背景技術】
【０００２】
コスメティック、セラピーおよび薬剤クリーム、軟膏およびローションは、タブ状の容器内に保持される。クリーム、軟膏またはローションは手によってアクセスされ（例えば掬われ）、それは汚染される。例えば、おしめの交換中に赤ちゃんにクリームが繰り返し塗布されるとき、汚染が生じる。また、タブ容器に関して、ユーザの手はアクセスされたクリーム、軟膏、またはローションによってコーティングされる。これは常に所望されるものではなく、例えば、クレームが撥水性であり、簡単に洗浄できない場合に特にそうである。
【発明の概要】
【発明が解決しようとする課題】
【０００３】
汚染および取り扱いの問題に対する解決策のひとつは、ユーザの肌にクリーム、軟膏、またはローションを塗布するために、へらを使用することである。使用の後に、へらの端部は、使い捨てナプキン／ティッシュによってきれいに拭き取られる。
【０００４】
従来技術の上記参照は、当該技術が、当業者の技術常識の一部を形成するものであると認めるものではない。上記参照は、ここで開示する容器およびアプリケータの応用を限定することを意図しない。
【課題を解決するための手段】
【０００５】
ここに開示するのはアプリケータシステムである。当該システムは、容器およびアプリケータを含む。当該容器は、物質（例えば、コスメティック、セラピーまたは薬剤クリーム、軟膏またはローションのようなクリーム、軟膏またはローション）を含むように構成される。物質は、アプリケータを使用して塗布される。容器は、さらに、使用の際にアクセス可能な方向でアプリケータを保持するように構成されている。
【０００６】
アプリケータは、ユーザによるアクセスを容易にし、例えば手の使用に頼らず、物質を塗布するために使用される。これにより、物質の汚染が防止可能となるばかりか、ユーザの手に対するコーティングが防止可能となる。
【０００７】
ひとつの実施形態において、容器はその端部（例えば、使用の際の上端部）において開放される第１チャンバを有する。第１チャンバは、アプリケータの少なくともアクティブエンドを受設しかつその中に配置することができる。第１チャンバはまた、使用中に、アクセス可能な方向でアプリケータを保持することもできる。アプリケータのアクティブエンドは、例えば、容器内に保持される物質（例えば、クリーム、軟膏またはローション）にアクセスおよび塗布するのに使用される。アクティブエンドは、使用の前後に第１チャンバ内に保持され、さらなる汚染またはハンドリングが防止される。アクティブエンドは、第１チャンバ内で交換される前におよび／または再利用される前に、洗浄され、拭き取られ、ラッピングされおよび／または消毒されてもよい。
【０００８】
ひとつの実施形態において、容器は物質（例えば、コスメティック、セラピー、薬剤等のクリーム、軟膏またはローション）を受設しかつその中に保持するように構成された第２チャンバも有する。使用中、物質はアプリケータのアクティブエンドによってのみ接触可能である。
【０００９】
ひとつの実施形態において、アプリケータは、細長く構成されてよい。例えば、アプリケータは、長尺ブラシ、または、ペンシル型形状を有するように構成されてよい。
【００１０】
ひとつの実施形態において、第１チャンバは、アプリケータの反対端（例えば、ハンドル）が使用中にアクセス可能な方向にそこから突起するように構成されてよい。例えば、アプリケータは、アクティブエンドが第１チャンバのベースに位置するとき、第１チャンバの開放端を越えてそこからアプリケータの把持部が突出するような長さを有するように構成されてよい。
【００１１】
ひとつの実施形態において、第１チャンバおよびアプリケータはそれぞれ、アプリケータが第１チャンバ内に立つような構成（例えば、概して直立構成）を有してよい。これは、アプリケータのハンドリングエンドのアクセスおよび把持を容易にするのを助ける。
【００１２】
ひとつの実施形態において、アプリケータのアクティブエンドは、容器内に保持された物質に接触し、保持し、かつ塗布するように構成されてよい。例えば、アプリケータのアクティブエンドは、パッド、ブラシまたはフレキシブルな（例えば、エラストマー）パドル状ヘッドを有してよい。
【００１３】
ひとつの実施形態において、第１チャンバは、第２チャンバに隣接してよい。
【００１４】
ひとつの実施形態において、第１チャンバは、第２チャンバによって包囲されてよい。他の実施形態において、第１チャンバは、容器の内部または容器の壁に隣接して配置されたセグメントを画成してよい。
【００１５】
いずれかの場合、第２チャンバの内壁は、第１チャンバの外壁のすべてまたは一部を画成してよい（例えば、第１および第２チャンバは、共通の壁を共有してよい）。
【００１６】
ひとつの実施形態において、第２チャンバは、第１チャンバの周りの環状容積を画成してよい。この場合、第１チャンバはチューブとして画成される。環状容積は、物質を保持する。第１チャンバのチューブ構成は、アプリケータをその内部に受設しかつサポートする方向に最適化されてよい（例えば、アプリケータの十分な部分をサポートするための長さおよび有効直径を有し、第１チャンバのベースにおいてアクティブエンドをサポートすることを含む）。この関係で、長尺アプリケータは、概して直立構成で、第１チャンバのチューブ内で起立してよい。
【００１７】
ひとつの実施形態において、容器はまた、蓋を有してよい。当該蓋は、使用中、内部に、物質を包含するべく第２チャンバを閉止するよう構成されてよい。蓋は、それが、第２チャンバを閉止したとき、第１チャンバの開放端を閉止しないようにさらに構成されてよい（または、少なくとも、アプリケータの挿入および除去を妨害しないように開放端を閉止しない）。したがって、アプリケータは、アクセス可能な方向に保持することができる。
【００１８】
ひとつの実施形態において、蓋は容器の外壁にヒンジ結合されてよい。これにより、蓋は、閉止位置と開放位置との間で枢動することができる。例えば、蓋が開放されているとき、第２チャンバ内の物質は、アプリケータのアクティブエンドによってアクセスされてよい。
【００１９】
ひとつの実施形態において、蓋は留め金によって閉止保持されてよい。留め金は容器の使用中の上端に配置されてよい。また、留め金が蓋からリリースされるべく、手動で動作するように構成されてよい。留め金がそのようにリリースされたとき、蓋は閉止位置から離れて枢動可能である。
【００２０】
ひとつの実施形態において、留め金は、押圧可能なプッシュボタンをその内部に保持してよい。このプッシュボタンにより、例えば、留め金は、汚染がなく蓋からリリース可能となる（例えば、それは、非汚染または非コーティングの指によって、または、アプリケータのハンドルエンドによって係合される）。プッシュボタンの押圧は、留め金のラッチの蓋からのリリースを生じさせ、それにより、蓋は閉止位置から離れて枢動可能である。
【００２１】
ひとつの実施形態において。蓋には、バネ負荷がかけられてよい。したがって、留め金が蓋からリリースされると、バネによって、蓋は開放位置に枢動する。言い換えれば、これは、汚染の可能性をさらに減少させる方法で、蓋のリリースを補強することができる。
【００２２】
ひとつの実施形態において、留め金は、容器の上端にマウントされるように（例えば、一部を形成するように）配置されたコンポーネントの一部として形成されてよい。これは、留め金が容器の残りに別々に形成されることが可能であることを意味する。一方で、これは、容器の残りが、留め金による侵入または干渉から自由である物質の体積を有することを意味する。言い換えれば、容器内の物質の体積は最大化され得る。
【００２３】
ひとつの実施形態において、容器上端用のコンポーネントは、第１リング構造を有してよい（すなわち、それは、例えば鋳造によって、容器の残りに別個に形成される）。留め金は、第１リング構造の内側に伸長してよく、第１リング構造が容器上端にマウントされたとき、第２チャンバを覆ってよい。こうして、留め金は、容器の第２チャンバ内に保持され得る物質の体積に侵入または干渉することはない。
【００２４】
第１リング構造は、容器上端に取り付けられてよい（例えば、ネジ係合、バイオネット嵌合、接着固定等によって）。これに関して、第１リング構造は、容器上端に配置された外部形成ネジとネジ係合するように配置された内側形成ネジを有してよい。
【００２５】
ひとつの実施形態において、コンポーネントはさらに、第２リング構造を有してよい。第２リング構造は、第１チャンバの開放上端に配置されかつそれを囲む（すなわち、第１リング構造が容器上端部に取り付けられたとき）。留め金は、第１リング構造と第２リング構造との間に伸長してよい。留め金は、第１リング構造を第２リング構造に結合してよい。以下で詳細に説明するように、第２リング構造は、留め金に対して付加的なサポート機能を与える。一方、これは、蓋の不注意な開放を防止するのを助ける（例えば、容器が部分的にまたは完全に空であり、力が容器に印加されるとき）。
【００２６】
ひとつの実施形態において、留め金は、留め金構造を有してよい（すなわち、留め金のコンポーネントの保持のための構造）。留め金構造は、その内側に伸長するように第１リング構造と一体的に形成されてよく、その結果それは、使用中に第２チャンバを覆う。留め金構造は、その外側に伸長するように第２リング構造と一体的に形成されてよく、その結果それは、使用中に第２チャンバを覆う。留め金のコンポーネント、すなわち、押圧可能プッシュボタンおよびラッチは、使用中に留め金構造内に保持可能である。
【００２７】
ひとつの実施形態において、容器上端用のコンポーネント（例えば、第１リング構造において）は、蓋のヒンジ用の外部マウントをさらに有してよい。この外部マウントは、例えば、コンポーネントと一体成形される（例えば、第１リング構造と一体成形される）２つの環を有してよい。外部マウントは、使用中にヒンジの軸を受設してよい。ヒンジは容器の残りから分離されてよい。
【００２８】
ここでは、上述したシステムと一緒に使用される容器も開示される。容器は、その端部で開放される第１チャンバを有する（例えば、使用中に上端部で開放される）。第１チャンバは、その内部にアプリケータの少なくともアクティブエンドを受設しかつ配置するよう構成され、使用中にアクセス可能な方向でアプリケータを保持する。容器はまた、使用中アプリケータのアクティブエンドによって接触される物質を内部に受設しかつ保持するように構成された第２チャンバを有する。
【００２９】
容器は、第２チャンバが第１チャンバを完全に包囲するように構成される。上述したように、これは、第２チャンバが侵入または干渉（例えば、留め金によるような）から自由である物質の体積を有することを意味する。言い換えれば、第２チャンバ内の物質の体積は、最大化される。さらに上述したように、容器の他のコンポーネント（例えば、留め金、ラッチ、蓋等）は、第２チャンバ内に保持可能な物質の体積に侵入または干渉しない。構成は、容器の製造を簡素化（すなわち、より単純な成形、より小さい動きの部品）するだけでなく、容器の充填、および、使用中の物質へのアクセスを簡素化する。
【００３０】
容器は、上述したシステム用に他に構成されてもよい。
【図面の簡単な説明】
【００３１】
上述したように、容器およびアプリケータを有するシステムの実施形態が、添付する図面を参照して例示的に説明される。
【図１Ａ】図１Ａは、蓋が閉じた状態の容器及びアプリケータシステムの第１実施形態の正面図である。
【図１Ｂ】図１Ｂは、蓋が閉じた状態の容器及びアプリケータシステムの第１実施形態の背面図である。
【図２Ａ】図２Ａは、蓋が開いた状態の容器およびアプリケータの第１の実施形態の正面図である。
【図２Ｂ】図２Ｂは、蓋が開いた状態の容器およびアプリケータの第１の実施形態の背面図である。
【図３Ａ】図３Ａは、留め金が分解した状態の、図１および図２の容器用の蓋、留め金およびマウント構造の第１実施形態の斜視図である。
【図３Ｂ】図３Ｂは、ラッチが内部に配置された状態の、図１および図２の容器用の蓋、留め金およびマウント構造の第１実施形態の斜視図である。
【図３Ｃ】図３Ｃは、留め金が組み立てられた状態の、図１および図２の容器用の蓋、留め金およびマウント構造の第１実施形態の斜視図である。
【図４Ａ】図４Ａは、蓋が閉じた状態の容器およびアプリケータの第１実施形態の側面図である。
【図４Ｂ】図４Ｂは、蓋が閉じた状態の容器およびアプリケータの第１実施形態の側面断面図である。
【図５Ａ】図５Ａは、蓋が閉じた状態の容器およびアプリケータの第１実施形態の背面斜視図である。
【図５Ｂ】図５Ｂは、蓋のリアのヒンジを詳細に示す図である。
【図６Ａ】図６Ａは、容器およびアプリケータの第１実施形態の分解正面斜視図である。
【図６Ｂ】図６Ｂは、容器およびアプリケータの第１実施形態の分解背面斜視図である。
【図６Ｃ】図６Ｃは、留め金のラッチの詳細図である。
【図６Ｄ】図６Ｄは、留め金のマウントサポートの詳細図である。
【図６Ｅ】図６Ｅは、蓋のヒンジのヒンジピンの詳細図である。
【図７Ａ】図７Ａは、蓋が閉じた状態の容器の第２実施形態の斜視図である。
【図７Ｂ】図７Ｂは、蓋が開いた状態の容器の第２実施形態の斜視図である。
【図８Ａ】図８Ａは、容器用の留め金およびマウント構造の第２実施形態の斜視図である。
【図８Ｂ】図８Ｂは、容器用の留め金およびマウント構造の第２実施形態の平面図である。
【図８Ｃ】図８Ｃは、図６Ａおよび６Ｂと同様の容器上に配置され蓋と係合した状態の図８Ａの留め金およびマウント構造を示す図である。
【図８Ｄ】図８Ｄは、図６Ａおよび６Ｂと同様の容器上に配置され蓋と係合した状態の図８Ｂの留め金およびマウント構造を示す図である。
【発明を実施するための形態】
【００３２】
図１から６には、アプリケータシステムの第１実施形態が示されている。それは、以下でタブ１０と呼ぶ変形タブ型容器形状の容器と、タブ１０と一緒に使用するための人間工学的に成形されかつ大きさを有する長尺ブラシ１２形状のアプリケータを有する。システムはさらに、ブラシ１２の不注意な汚染を防止する。加えて、図６Ａおよび６Ｂに示すように、タブ１０のコンポーネントは、タブ１０内に保持されるべき物質用の環状容積を最大化するように構成されている。これは以下で詳細に説明する。
【００３３】
タブ１０内に保持された物質（例えば、コスメティック、セラピー、または薬剤クリーム、軟膏またはローション）にアクセスし、接触しかつ続いて塗布することができるように、ブラシ１２のアクティブエンド１４が形成されている。アクティブエンド１４は、多孔またはパッド上のポリマーフォーム材、合成または天然の毛／繊維、またはフレキシブルな（例えば、ポリマーまたはエラストマー）パドル形状ヘッドを有する。
【００３４】
タブ１０のコンポーネントは、典型的にプラスチック材料から射出成形される。同じまたは異なるプラスチックがそれぞれのコンポーネント用に使用可能である。プラスチックは、例えば、タブのコンポーネント全体で変化する壁厚を、鋳型の内部およびそれを通じて適切に画成するように、鋳型内に射出可能なガスアシストポリプロピレンを有する。また、そのようなプラスチックの使用は、高品質な仕上がりを可能にする。
【００３５】
図６Ａおよび６Ｂに示すように、タブ１０は、ブラシ１２とともに物質を保持するように構成されたベース部１５を有する。これに関して、ベース部１５は、中央管状リセス１６の形式で第１チャンバを有する。リセス１６は、その上端部１８が開放され、そのベースで閉止されている。図４Ａ、図６Ａおよび６Ｂに示すように、リセス１６は、ブラシのアクティブエンド１４およびブラシ１２の長尺ハンドル２０の一部を受設しその内部に配置することができる。図１Ａおよび４Ａに示すように、ハンドル２０は、アクティブエンド１４がリセス１６のベースに配置されたとき、リセス１６の開放端１８を越えてそこから突出することができるような長さを有する。この方向は、使用中にブラシ１２の容易なアクセスおよびハンドリングを促進する。
【００３６】
汚染およびハンドリングの邪魔にならないように、使用の前後でブラシのアクティブエンド１４はリセス１６内に保持される。ブラシのアクティブエンド１４は、リセス１６内に配置される前および／または再利用される前に、洗浄され、拭き取られ、ラッピングされおよび／または消毒される。管状リセス１６のベースは、任意で消毒剤を保持してよい。リセス１６はまた、リセス１６のベースのすぐ上でそれを保持するべく、ブラシの一部（例えば、ハンドル２０上のクリップ）と係合する突起フランジ、グリップまたはクリップを有する。
【００３７】
ブラシ１２は、それがリセス１６内で概して直立することができるように、十分な長さおよび幅の構成を有するよう選択かつ設計される。これに関して、リセス１６の管状構成は、ブラシ１２のハンドル２０の十分な部分を内部に受設しかつ支持する方向に最適化され、その結果ハンドル２０の十分な長さがユーザによって容易にアクセス／把持できるようにリセス１６を越えて突出する。
【００３８】
ベース部分１５はまた、物質を内部に受設しかつ保持するように構成された環状容積２２の形式の第２チャンバを有する。図６Ａおよび６Ｂに示すように、環状容積２２は、管状プロファイルのリセス１６を画成するよう、隣接しかつ完全に包囲するように配置されている（すなわち、環状容積２２は、リセス１６を包囲する環帯容積を画成する）。したがって、リセス１６の壁は環状容積２２に対して内壁（すなわち、共通壁）を与え、それによってコンパクトになり、ベース部１５内の空間が使用可能となる。
【００３９】
これはまた、環状容積２２が、侵入または干渉（例えば、蓋、蓋留め金、蓋ヒンジ等による）から自由である物質の体積を有することを意味する。言い換えれば、環状容積２２内に配置される物質の体積は、最大化されうる。結果としてベース部１５の構成は、タブ１０のこの部分の製造を単純化する（すなわち、より単純な鋳型、より少ない移動部品）。付加的に、ベース部１５は、蓋等をそれに固定する前に、物質を簡単に充填可能である。また、環状容積２２の全体の使用は、ブラシのアクティブエンド１４が環状容積２２のすべての部分に誘導可能な状態で、使用中の物質へのアクセスを改善する。
【００４０】
図６Ａおよび６Ｂからわかるように、ベース部１５の外側の上端部は、蓋マウント構造をリリース可能に取り付けるために、外部に形成されたネジ部２４を有する。
【００４１】
これに関して、タブ１０はさらに、脱着可能なマウントリング２６の形式の蓋マウント構造を有する。マウントリング２６は、以下で説明するように、ベース部１５へ蓋を固定するために必要なすべての構造を有する。言い換えれば、ベース部１５は、できるだけ単純な構造を有してよい。マウントリング２６の内側下方部分は内側にネジ部２８を有し、ネジ部２８はネジ部２４に対応しており、マウントリング２６がベース部１５へリリース可能に螺合されうる。マウントリング２６はまた、以下で説明するように、リングの内側に突出した一体成形留め金構造２９を有する。
【００４２】
タブ１０の蓋３０は、ヒンジアセンブリ３１においてマウントリング２６にヒンジ結合可能に取り付けられる。これに関して、図５Ｂに示すように、マウントリング２６は、蓋３０用のヒンジサポートとして作用する２つの、離隔された一体成形ループ構造を有する。蓋３０の背面は、ループ構造３２の外側に配置されるように構成された、２つの対応する、離隔され、一体成形されたループ構造３４を有する。蓋３０の背面はまた、図示するように、ループ構造３２の間に配置されるように構成された中間突起３５を有する。ループ３２、３４を貫通するアパーチャが、それを通じて挿入されるヒンジピン３６用の通路を与えるようにアライメントされている（図６Ｂおよび図６Ｅを参照）。
【００４３】
図６Ｅに示すように、ヒンジピン３６は、そのシャンク３８上に拡張部３７を有し、当該拡張部３７は、ピンのヘッド３９からシャンクに沿って配置されている。ピン３６の挿入中、拡張部３７はループ構造３４のひとつを通じて干渉（すなわち、屈曲するように）して通過し、その結果ループ構造３４をシャンク３８上（すなわち、拡張部３７とピンヘッド３９との間）に保持する。これによりピンがヒンジ内に固定される。ピンの挿入中、複動式ヘリカルコイル（図示せず）がシャンク３８上に配置され、中間突起３５の下で、ループ構造３２の間に配置されうる。図２Ａおよび２Ｂに示すように、バネは、蓋３０を開放位置にバイアスするように配置および構成される。
【００４４】
上述したように、マウントリング２６はまた、リングの内側に突起する一体成形された留め金構造２９を有する。リング２６がベース部１５上にネジマントされたとき、留め金構造２９は環状容積２２の一部を閉止するようにそれを覆う（図２Ｂ参照）。さらに、留め金構造２９の内側エッジは、管状リセス１６の壁の上端部に配置される。図１Ａおよび１Ｂに示すように、蓋３０はさらに、環状容積の残りの部分を閉止するように構成される（すなわち、残りの部分は、留め金構造２９によって覆われない）。これに関して、蓋の内側リムは、管状リセス１６の壁の上端部の残りに配置されてよい。さらに、蓋の外側リムは、タブ１０の環状容積２２内に物質を包含するようにベース部分の外側壁上に配置されてよい。
【００４５】
留め金構造２９は、当該構造のベースから上方に突起する中央に一体成形された栓４０を有するように構成されている（図３Ａおよび図６Ｄ）。また、２つの離隔された反対側のシート４２が、留め金構造２９の内部で反対側にそこから上方に突起するように配置されている。栓４０およびシート４２は一緒に、屈曲可能なラッチプレート４４（典型的に、屈曲可能な耐摩耗および耐疲労材料である）を保持しかつ支持するように協働する。図３Ａ、図３Ｂ、および図６Ｃに示すように、ラッチプレート４４は、栓４０と干渉して受設するように中央アパーチャ４６を有する。ラッチプレート４４はその後、シート４２と交差しかつそれによって支持されるようにシート４２上に配置される。ラッチプレート４４の反対端はまた、ラッチラグ４８を有する。ラッチプレート４４が留め金構造２９内に固定されたとき、各ラグ４８は、留め金構造２９のそれぞれの側壁のそれぞれのアパーチャ５０から突出するように配置される（図３Ｃおよび図６Ｄを参照）。
【００４６】
突出した各ラグ４８が蓋３０とラッチ係合可能となる。これに関して、ラッチ係合を生じさせるために、蓋３０は、留め金構造２９と形状的に対応する切り抜きセクション５２を備える。切り抜きセクション５２は、蓋３０が閉じたとき、留め金構造を内部にぴったりと受設するよう構成されている。
【００４７】
蓋３０はまた、留め金構造２９と一緒に動作する蓋３０が、環状容積２２を閉止するとき、ブラシのアクセスを少なくとも妨げないように（すなわち、ブラシ１２の挿入および除去を妨げないように）、それがリセス１６の開放端１８を閉止しないように構成されている（図１Ａおよび１Ｂ参照）。
【００４８】
切り抜きセクション５２の各側壁５４は、その内部に形成された対応するスロット５５を有し、当該スロットはその内部にそれぞれのラッチラグ４８をラッチして受設するように構成されている。各スロット５５は、それぞれの側壁５４の中央に配置されたリベート５６の上に画成されている（図３Ａから３Ｃを参照）。
【００４９】
留め金構造２９はさらに、押圧可能なプッシュボタン６０を保持する。プッシュボタン６０は、使用中にユーザの指を受設する凹み６２を有する。プッシュボタン６０の反対側の側壁はそれぞれ、離隔されかつ横方向に突起する一緒に成形されたガイドラグ６４を有する（図３Ａおよび図６Ｂを参照）。プッシュボタン６０が留め金構造２９内に押された位置にあるとき、各ガイドラグ６４は、それぞれの垂直方向通路６６内に配置されるように促される（図３Ｃおよび図６Ｄを参照）。各通路は、留め金構造２９の対面側壁にそれぞれ近接して画成される。そのように配置されたとき、プッシュボタン６０は、オンに設定され、屈曲可能なラッチプレート４４によってサポートされる。
【００５０】
使用中、プッシュボタン６０が押されたとき、ガイドラグ６４は、それぞれの通路６６内で下方に移動し、ラッチプレート４４の中央部分はまた下方に屈曲する。しかし、ラッチプレート４４の端部は、それぞれのシート４２にあるとき、下方に屈曲しない。実際に、これらの端部は、わずかに上方に屈曲する。続いて、これにより、各ラッチラグ４８は、それぞれのアパーチャ５０内に引き込まれ、蓋３０の対応するスロット５５とのラッチ係合が外れる。これにより、蓋３０はリリースされ、バネ負荷ヒンジの作用によって、上方に離れて枢動する。タブ１０は開放され（図２Ａおよび図２Ｂ）、その内部に保持された物質にアクセス可能となる。
【００５１】
使用後、蓋がユーザによって手動で閉止されたとき、蓋３０の側壁５４のリベート５６により、これらのラグが屈曲しかつ対応するスロット５５と再びラッチ係合するようにアライメントされるまで、蓋はラッチラグを通過して移動可能となる。
【００５２】
同じ部品には同じ参照番号を付した図７Ａおよび７Ｂを参照して、アプリケータシステムの第２実施形態が示されている。それは、他の修正タブ状容器の形式の容器（以下でタブ１００という）を有する。図７Ａおよび７Ｂにおいて、ブラシ１２の形式のアプリケータは明確化のために除去されている。
【００５３】
タブ１００は、多くの点でタブ１０と同じである。しかし、タブ１００において、ベース部分１５は、一体タブベース１１５の形式を取るように修正されている。タブベース１１５において、管状リセス１６は、ベースと独立に直立しない。むしろ、管状リセス１６は、サポート壁１１０を介して、タブベース１１５の残りに結合される。これは、環状容積２２が管状リセス１６の周りに完全に伸長せず、環状容積２２は、サポート壁１１０によって断ち切られていることを意味する。したがって、利用可能な物質の量は減少する。
【００５４】
加えて、タブ１００は、別個のマウントリング２６を使用しない。むしろ、タブベース１１５の上部リムは、リベートされた外周領域１０５によって画成される。図７Ａに示すように、蓋３０は、このリベート領域１０５の外周を包含して閉止する。また、留め金構造２９はリベート領域１０５と一体成形される。したがって、プッシュボタン６０は、サポート壁１１０を越えて伸長しかつその間に配置される。
【００５５】
タブ１００の動作および機能は、上述したタブ１０と多くの点で同じである。
【００５６】
同じ部品には同じ参照番号を付した図８Ａから８Ｄを参照して、変形マウントリング８６の形式の留め金およびマウント構造の第２実施形態が示されている。図８Ｃおよび８Ｄは、図６Ａよび６Ｂに示すものと非常に似たベース部１５に配置されたときの、関連する蓋３０および変形マウントリングを示す。
【００５７】
図８Ａおよび８Ｂに示された、脱着可能な変形マウントリング８６は、図３Ａから図３Ｃに示したような脱着可能マウントリング２６と非常に似ている。したがって、図３Ａから３Ｃに示すのと同じ部品には同じ符号を付し、それらの部品の詳細な説明は省略すする。
【００５８】
これに関して、変形マウントリング８６は、タブ１０のベース部１５に蓋３０を固定するために必要な構造を有する。これは、ベース部１５ができるだけ単純な構造を有することを意味する。これに関して、マウントリング８６の内側の下方部分には、内側にネジ２８が形成されており、それによりマウントリング８６は、ベース部１５上にリリース可能に螺合されうる。マウントリング８６はまた、リング８６の内側に突起して一体成形された留め金構造２９を有する。
【００５９】
しかし、変形マウントリング８６に従い、マウントリングはさらに、サポートリング８８の形式の第２リング構造を有する。図８Ａおよび８Ｂに示すように、サポートリング８８は、留め金構造２９の内側遠位端の下側に結合されている（例えば、それは、留め金構造２９と一体成形可能である）。図８Ｃおよび８Ｄに示すように、サポートリング８８は、管状リセス１６の開放上端部１８の周囲に配置可能である（すなわち、マウントリング８６はタブ１０のベース部１５に固定（すなわち螺合）される）。例えば、サポートリング８８は、中空リセス１６の上端部１８上に圧縮または押圧（例えば、加圧または干渉タイプのフィット）マウントされるように、構成（例えば、大きさ）されてよい。付加的に、サポートリング８８を中空リセス１６の上端部１８に固定するために接着剤が使用されてもよい。
【００６０】
したがって、留め金構造２９は、マウントリング８６とサポートリング８８との間に伸長する。マウントリング８６がベース部１５にマウントされると、留め金構造２９は管状リセス１６とベース部１５との間にブリッジを形成することができる。このブリッジは、留め金構造２９に付加的なサポートを付与し、それによって、付加的なサポートを、留め金のコンポーネント（すなわち、栓４０、シート４２、ラッチプレート４４およびプッシュボタン６０）に与える。続いて、この付加的なサポート機能は、例えば、蓋３０のベース部１５が部分的にまたは完全に空であり、力（例えば、バンプ、ブロー、スクイーズ）がベース部分１５の側壁に印加される場合に生じるような、蓋３０の不注意な開放を防止するのに役立つ。
【００６１】
タブ１０およびタブ１００の各々において、プッシュボタン６０が、ユーザの指またはブラシハンドル２０の遠位端（例えば、後者は典型的に汚染または物質から自由である）によって押圧される。さらに、ヒンジバネにより、蓋３０が開放位置に枢動されるため、物質によって汚染またはコーティングされうる指または手を使ってユーザは蓋を手動で除去する必要がなく、したがって、汚染の可能性がさらに減少する。
【００６２】
蓋３０が開放されたとき、ユーザは、ブラシ１２に容易にアクセスしかつ扱うことができる。ブラシのアクティブエンド１４は、物質内に浸けられ、その後、ユーザによって塗布される（例えば、赤ちゃん、子供、老人などの他人に、または自分自身に塗布される）。その後、ブラシのアクティブエンド１４は、リセス１６内に再挿入される前に、および／または、再利用される前に、洗浄され、拭き取られ、ラッピングされ、および／または、消毒されてよい。
【００６３】
多くの実施形態を説明してきたが、開示した実施形態に対して多くの変更または修正が可能であることが理解されよう。
【００６４】
例えば、タブ１０、１００は、再形成であり、それにより、リセス１６はタブの壁に隣接配置されたセグメントとして画成されてよい。蓋３０は、そのように再形成可能である。タブは、正方形、矩形等であってよい。蓋３０は、バネの作用が無い状態でマウントされかつ枢動されてよい。
【００６５】
他の例において、留め金構造２９および／またはマウントリング２６は、組立中にフィットするように別々の部品として形成される替わりに、タブと一緒にコモールド(co-moulded)またはバイモールド(bi-molded)成形されてよい。
【００６６】
したがって、実施形態は、例示にすぎず、態様を限定するものではない。
【００６７】
特許請求の範囲および上述したアプリケータシステムの説明において、文脈が説明用語または必要な暗示を要求する場合以外は、用語“有する”または“含む”は非排他的意味で使用されており、記載した特徴の存在を特定するが、アプリケータシステムのさまざまな実施形態において他の特徴の存在または付加を除外するものではない。
【図１Ａ】
2020508782.tif 000003
【図１Ｂ】
2020508782.tif 000004
【図２Ａ】
2020508782.tif 000005
【図２Ｂ】
2020508782.tif 000006
【図３Ａ】
2020508782.tif 000007
【図３Ｂ】
2020508782.tif 000008
【図３Ｃ】
2020508782.tif 000009
【図４Ａ】
2020508782.tif 000010
【図４Ｂ】
2020508782.tif 000011
【図５Ａ】
2020508782.tif 000012
【図５Ｂ】
2020508782.tif 000013
【図６Ａ】
2020508782.tif 000014
【図６Ｂ】
2020508782.tif 000015
【図６Ｃ】
2020508782.tif 000016
【図６Ｄ】
2020508782.tif 000017
【図６Ｅ】
2020508782.tif 000018
【図７Ａ】
2020508782.tif 000019
【図７Ｂ】
2020508782.tif 000020
【図８Ａ】
2020508782.tif 000021
【図８Ｂ】
2020508782.tif 000022
【図８Ｃ】
2020508782.tif 000023
【図８Ｄ】
2020508782.tif 000024
【手続補正書】
【提出日】平成31年1月24日(2019.1.24)
【手続補正１】
【補正対象書類名】特許請求の範囲
【補正対象項目名】全文
【補正方法】変更
【補正の内容】
【特許請求の範囲】
【請求項１】
容器およびアプリケータを有するアプリケータシステムであって、前記容器は、前記アプリケータを使って塗布される物質を含むように構成されており、前記容器は、使用中にアクセス可能な方向で前記アプリケータを支持するようにさらに構成されており、
前記容器は、
使用中にその上端部が開放された第１チャンバであって、前記第１チャンバは内部にアプリケータの少なくともアクティブエンドを受設しかつ配置し、使用中にアクセス可能な方向で前記アプリケータを保持するように構成されている、ところの第１チャンバと、
使用中にその上端部が開放された第２チャンバであって、前記第２チャンバは前記アプリケータの前記アクティブエンドによって接触される前記物質を受設しかつ内部に保持するように構成された第２チャンバと、
使用中にその内部に前記物質を内包するべく、前記第２チャンバの開放された前記上端部を閉止するように構成された蓋であって、前記蓋は、前記第２チャンバの開放された前記上端部を閉止する際、前記第１チャンバの開放された前記上端部を閉止しないように構成されており、それにより、前記アプリケータが前記アクセス可能な方向のままである、ところの蓋と
を備えるアプリケータシステム。
【請求項２】
前記アプリケータは細長く、前記第１チャンバおよび前記アプリケータの各々は、前記アクティブエンドが前記第１チャンバのベースに配置されたとき、前記アプリケータの反対端が前記第１チャンバの開放端を越えてそこから突出するように構成されている、ことを特徴とする請求項１に記載のシステム。
【請求項３】
前記第１チャンバおよび前記アプリケータの各々は、前記アプリケータが前記第１チャンバ内に概して起立することができるように構成されている、ことを特徴とする請求項１または２に記載のシステム。
【請求項４】
前記アプリケータの前記アクティブエンドは、前記コントローラ内に保持された前記物質と接触し、保持し、および、塗布するように構成されている、ことを特徴とする請求項１から３のいずれか一項に記載のシステム。
【請求項５】
前記第１チャンバは、前記第２チャンバに隣接しているか、および／または、前記第２チャンバによって包囲されている、ことを特徴とする請求項１から４のいずれか一項に記載のシステム。
【請求項６】
前記第２チャンバは、前記第１チャンバの周囲に環帯容積を画成し、それによって、前記第１チャンバは管状に画成される、ことを特徴とする請求項１から５のいずれか一項に記載のシステム。
【請求項７】
前記蓋は、前記容器の外部壁にヒンジ結合されており、閉止位置と開放位置との間で枢動可能である、ことを特徴とする請求項１から６のいずれか一項に記載のシステム。
【請求項８】
前記蓋は、使用中、前記容器の前記上端部に配置された留め金によって閉止保持され、前記留め金は、前記蓋からリリースするべく手動で動作するように構成されており、それによって、前記蓋は前記閉止位置から枢動して離れることができる、ことを特徴とする請求項７に記載のシステム。
【請求項９】
前記留め金は、押圧可能なプッシュボタンを内部に保持するように構成されており、押圧により、前記留め金のラッチは前記蓋からリリースされ、それにより、前記蓋は前記閉止位置から枢動して離れることができる、ことを特徴とする請求項８に記載のシステム。
【請求項１０】
前記蓋にはバネ負荷が与えられ、それにより、前記留め金が前記蓋からリリースされると、前記バネにより前記蓋が前記開放位置に枢動する、ことを特徴とする請求項８または９に記載のシステム。
【請求項１１】
前記留め金は、前記容器の前記上端部にマウントされるように構成されたコンポーネントの一部として形成される、ことを特徴とする請求項８から１０のいずれか一項に記載のシステム。
【請求項１２】
前記コンポーネントは、ネジ結合などにより、前記容器の上端部に取り付け可能であり、前記留め金は前記第１リング構造の内側に伸長し、かつ、前記第２チャンバを覆っている、ことを特徴とする請求項１１に記載のシステム。
【請求項１３】
前記留め金は、使用中、前記第２チャンバを覆うべく内側に伸長するよう前記第１リング構造とともに一体成形された留め金構造を有し、前記押圧可能プッシュボタンおよびラッチは、前記留め金構造内に保持されている、ことを特徴とする請求項１２に記載のシステム。
【請求項１４】
前記コンポーネントは、前記第１リング構造が前記容器の上端部に取り付けられたとき、前記第１チャンバの前記開放上端を包囲して配置可能である第２リング構造をさらに有し、前記留め金は前記第１リング構造と前記第２リング構造との間に伸長し、かつ、それらを結合する、ことを特徴とする請求項１２または１３に記載のシステム。
【請求項１５】
前記容器の上端部用の前記コンポーネントはさらに、前記蓋の前記ヒンジ用の外部マウントをさらに有する、ことを特徴とする請求項１２から１４のいずれか一項に記載のシステム。
【請求項１６】
請求項１から１５のいずれか一項に記載のシステムとともに使用する容器であって、
使用中にその上端部が開放された第１チャンバであって、その内部にアプリケータの少なくともアクティブエンドを受設しかつ配置し、かつ、使用中にアクセス可能な方向で前記アプリケータを保持するように構成されている、ところの第１チャンバと、
使用中にその上端部が開放された第２チャンバであって、前記第２チャンバは前記アプリケータの前記アクティブエンドによって接触される物質を内部に受設しかつ保持するように構成された第２チャンバと、
使用中に、その内部に前記物質を内包するべく、前記第２チャンバの開放された前記上端部を閉止するように構成された蓋であって、前記蓋は、前記第２チャンバの開放された前記上端部を閉止する際、前記第１チャンバの開放された前記上端部を閉止しないように構成されており、それにより、使用中に前記アプリケータが前記アクセス可能な方向のままである、ところの蓋と
を備える容器。
【請求項１７】
請求項２から１５のいずれか一項に記載されたもの以外の請求項１６に記載の容器。
【手続補正２】
【補正対象書類名】明細書
【補正対象項目名】０００７
【補正方法】変更
【補正の内容】
【０００７】
容器はその端部（例えば、使用の際の上端部）において開放される第１チャンバを有する。第１チャンバは、アプリケータの少なくともアクティブエンドを受設しかつその中に配置することができる。第１チャンバはまた、使用中に、アクセス可能な方向でアプリケータを保持することもできる。アプリケータのアクティブエンドは、例えば、容器内に保持される物質（例えば、クリーム、軟膏またはローション）にアクセスおよび塗布するのに使用される。アクティブエンドは、使用の前後に第１チャンバ内に保持され、さらなる汚染またはハンドリングが防止される。アクティブエンドは、第１チャンバ内で交換される前におよび／または再利用される前に、洗浄され、拭き取られ、ラッピングされおよび／または消毒されてもよい。
【手続補正３】
【補正対象書類名】明細書
【補正対象項目名】０００８
【補正方法】変更
【補正の内容】
【０００８】
容器は物質（例えば、コスメティック、セラピー、薬剤等のクリーム、軟膏またはローション）を受設しかつその中に保持するように構成された第２チャンバも有する。使用中、物質はアプリケータのアクティブエンドによってのみ接触可能である。
【手続補正４】
【補正対象書類名】明細書
【補正対象項目名】０００９
【補正方法】変更
【補正の内容】
【０００９】
容器はまた、蓋を有してよい。当該蓋は、使用中、内部に、物質を包含するべく第２チャンバを閉止するよう構成されてよい。蓋は、それが、第２チャンバを閉止したとき、第１チャンバの開放端を閉止しないようにさらに構成されてよい（または、少なくとも、アプリケータの挿入および除去を妨害しないように開放端を閉止しない）。したがって、アプリケータは、アクセス可能な方向のままであることができる。
【手続補正５】
【補正対象書類名】明細書
【補正対象項目名】００１０
【補正方法】変更
【補正の内容】
【００１０】
ひとつの実施形態において、アプリケータは、細長く構成されてよい。例えば、アプリケータは、長尺ブラシ、または、ペンシル型形状を有するように構成されてよい。
【手続補正６】
【補正対象書類名】明細書
【補正対象項目名】００１１
【補正方法】変更
【補正の内容】
【００１１】
ひとつの実施形態において、第１チャンバは、アプリケータの反対端（例えば、ハンドル）が使用中にアクセス可能な方向にそこから突起するように構成されてよい。例えば、アプリケータは、アクティブエンドが第１チャンバのベースに位置するとき、第１チャンバの開放端を越えてそこからアプリケータの把持部が突出するような長さを有するように構成されてよい。
【手続補正７】
【補正対象書類名】明細書
【補正対象項目名】００１２
【補正方法】変更
【補正の内容】
【００１２】
ひとつの実施形態において、第１チャンバおよびアプリケータはそれぞれ、アプリケータが第１チャンバ内に立つような構成（例えば、概して直立構成）を有してよい。これは、アプリケータのハンドリングエンドのアクセスおよび把持を容易にするのを助ける。
【手続補正８】
【補正対象書類名】明細書
【補正対象項目名】００１３
【補正方法】変更
【補正の内容】
【００１３】
ひとつの実施形態において、アプリケータのアクティブエンドは、容器内に保持された物質に接触し、保持し、かつ塗布するように構成されてよい。例えば、アプリケータのアクティブエンドは、パッド、ブラシまたはフレキシブルな（例えば、エラストマー）パドル状ヘッドを有してよい。
【手続補正９】
【補正対象書類名】明細書
【補正対象項目名】００１４
【補正方法】変更
【補正の内容】
【００１４】
ひとつの実施形態において、第１チャンバは、第２チャンバに隣接してよい。
【手続補正１０】
【補正対象書類名】明細書
【補正対象項目名】００１５
【補正方法】変更
【補正の内容】
【００１５】
ひとつの実施形態において、第１チャンバは、第２チャンバによって包囲されてよい。他の実施形態において、第１チャンバは、容器の内部または容器の壁に隣接して配置されたセグメントを画成してよい。
【手続補正１１】
【補正対象書類名】明細書
【補正対象項目名】００１６
【補正方法】変更
【補正の内容】
【００１６】
いずれかの場合、第２チャンバの内壁は、第１チャンバの外壁のすべてまたは一部を画成してよい（例えば、第１および第２チャンバは、共通の壁を共有してよい）。
【手続補正１２】
【補正対象書類名】明細書
【補正対象項目名】００１７
【補正方法】変更
【補正の内容】
【００１７】
ひとつの実施形態において、第２チャンバは、第１チャンバの周りの環状容積を画成してよい。この場合、第１チャンバはチューブとして画成される。環状容積は、物質を保持する。第１チャンバのチューブ構成は、アプリケータをその内部に受設しかつサポートする方向に最適化されてよい（例えば、アプリケータの十分な部分をサポートするための長さおよび有効直径を有し、第１チャンバのベースにおいてアクティブエンドをサポートすることを含む）。この関係で、長尺アプリケータは、概して直立構成で、第１チャンバのチューブ内で起立してよい。
【手続補正１３】
【補正対象書類名】明細書
【補正対象項目名】００２８
【補正方法】変更
【補正の内容】
【００２８】
ここでは、上述したシステムと一緒に使用される容器も開示される。容器は、その端部で開放される第１チャンバを有する（例えば、使用中に上端部で開放される）。第１チャンバは、その内部にアプリケータの少なくともアクティブエンドを受設しかつ配置するよう構成され、使用中にアクセス可能な方向でアプリケータを保持する。容器はまた、使用中アプリケータのアクティブエンドによって接触される物質を内部に受設しかつ保持するように構成された第２チャンバを有する。容器はまた、蓋を有してよい。当該蓋は、使用中、内部に、物質を包含するべく第２チャンバを閉止するよう構成されてよい。蓋は、それが、第２チャンバを閉止したとき、第１チャンバの開放端を閉止しないようにさらに構成されてよい（または、少なくとも、アプリケータの挿入および除去を妨害しないように開放端を閉止しない）。したがって、アプリケータは、アクセス可能な方向のままであることができる。
【手続補正１４】
【補正対象書類名】明細書
【補正対象項目名】００２９
【補正方法】変更
【補正の内容】
【００２９】
容器は、第２チャンバが第１チャンバを完全に包囲するように構成されてもよい。上述したように、これは、第２チャンバが侵入または干渉（例えば、留め金によるような）から自由である物質の体積を有することを意味する。言い換えれば、第２チャンバ内の物質の体積は、最大化される。さらに上述したように、容器の他のコンポーネント（例えば、留め金、ラッチ、蓋等）は、第２チャンバ内に保持可能な物質の体積に侵入または干渉しない。構成は、容器の製造を簡素化（すなわち、より単純な成形、より小さい動きの部品）するだけでなく、容器の充填、および、使用中の物質へのアクセスを簡素化する。
【国際調査報告】
2020508782.tif 000025
2020508782.tif 000026
2020508782.tif 000027
2020508782.tif 000028
2020508782.tif 000029